(57)【要約】      （修正有）【課題】水分の吸着性能を一層向上させることができる容器乾燥具を提供する。【解決手段】容器乾燥具１０は、多数の通気孔１４を有する中空の棒部材１１と、該棒部材１１を面上で起立状態に保持する台座１２と、を備える。前記棒部材１１は、内部を乾燥させるべき容器１３の口から容器１３内へと挿入可能な太さである。前記棒部材１１の内部には、吸湿性を有する多数の粒体が流動可能に収容されている。【選択図】図２
0003225801.tif 000002
【実用新案登録請求の範囲】
【請求項１】
多数の通気孔を有する中空の棒部材と、該棒部材を面上で起立状態に保持する台座と、を備え、前記棒部材は、内部を乾燥させるべき容器の口から容器内へと挿入可能な太さであり、前記棒部材の内部には、吸湿性を有する多数の粒体が流動可能に収容されている、容器乾燥具。
【考案の詳細な説明】
【技術分野】
【０００１】
本考案は、水筒、ペットボトル、瓶、耐水性袋など、内部を乾燥させにくい容器を、加熱することなく短時間で手軽に乾燥させることができる、容器乾燥具に関するものである。
【背景技術】
【０００２】
容器乾燥具の一例として、吸湿材で形成される棒部材を支持台の上面略中央部に立設した容器乾燥具が知られている（特許文献１参照）。この容器乾燥具によれば、ペットボトルや瓶等の容器の口を棒部材に通して容器を逆さまに支持させることにより、容器の内部を乾燥させることができる。特に、特許文献１の００１５段落に記載の通り、棒部材に吸湿性のある材料を用いたことにより、蒸気の容器内面への凝縮が抑えられ、乾燥時間を短縮することができる、とされている。
【０００３】
また、特許文献１には、吸湿材で形成される棒部材に多数の凸凹を設けることも記載されている。これにより、棒部材の全体の表面積が増えるので、より水分の吸着性能を上げることができ、乾燥時間がより短縮される、と記載されている（特許文献１の００１７段落参照）。
【先行技術文献】
【特許文献】
【０００４】
【特許文献１】特開２０００−２０５７４７号公報
【考案の概要】
【考案が解決しようとする課題】
【０００５】
前記のような容器乾燥具においては、水分の吸着性能が高ければ高いほど乾燥時間が短縮されて好ましい。
【０００６】
本考案は前記のような事情に鑑みてなされたもので、水分の吸着性能を一層向上させることができる容器乾燥具を提供しようとするものである。
【課題を解決するための手段】
【０００７】
前記課題を解決するため、本考案に係る容器乾燥具は、多数の通気孔を有する中空の棒部材と、該棒部材を面上で起立状態に保持する台座と、を備え、前記棒部材は、内部を乾燥させるべき容器の口から容器内へと挿入可能な太さであり、前記棒部材の内部には、吸湿性を有する多数の粒体が流動可能に収容されていることを特徴とする。
【０００８】
本考案に係る容器乾燥具は、内部を乾燥させるべき容器の口から容器内に棒部材を挿入して使用する。棒部材を起立状態に保持し、口を下向きにした容器を棒部材に被せて使用しても良いし、口を上向きにした容器に棒部材を挿入して使用してもよい。容器内の水分は、通気孔を通って、棒部材内の吸湿性を有する多数の粒体によって吸着される。棒部材内には吸湿性を有する粒体が多数あることから、吸湿性を有する粒体の表面積の総和が大きい。このため、水分の吸着性能が極めて高くなり、短時間で容器内を乾燥させることができる。本考案の容器乾燥具は、吸湿性を有する粒体を乾燥させる（吸湿性を有する粒体から水分を放出させる）ことにより、繰り返し使用することができる。
【図面の簡単な説明】
【０００９】
【図１】本考案の実施の一形態に係る容器乾燥具の斜視図である。
【図２】図１の容器乾燥具の使用例を示す斜視図である。
【図３】図１の容器乾燥具を構成する棒部材の分解平面図である。
【図４】図３のＡ−Ａ矢視断面図である。
【図５】図１の容器乾燥具を構成する台座の正面図である。
【図６】図５の台座と図３の棒部材半体との係合状態を示す正面図である。
【考案を実施するための形態】
【００１０】
以下、添付図面を参照して、本考案の実施の形態について説明する。
【００１１】
図１に示すように、本考案の実施の一形態に係る容器乾燥具１０は、乾燥機能を発揮する棒部材１１と、この棒部材１１を面上で起立状態に保持する台座１２と、を備える。容器乾燥具１０は、図２に示すように、内部を乾燥させるべき容器１３（１３ａ，１３ｂ）の口から容器１３内に棒部材１１を挿入して使用する。
【００１２】
図２に示すように、容器乾燥具１０を構成する棒部材１１は、容器１３の口から容器１３内へと挿入可能な太さを有する。棒部材１１は、多数の通気孔１４を有し且つ上下両端部が閉じた中空の部材である。後で詳細に説明するように、棒部材１１の内部には、通気孔１４を通り抜け不能であり且つ吸湿性を有する多数の粒体１５（図３参照、以下、「吸湿性粒体」という。）が流動可能な状態で収容される。図１の例では、棒部材１１が円柱状に形成されているが、これには限定されず、多角柱や楕円柱等であってもよい。また、棒部材１１は、口径や深さの異なる様々な容器１３に対応できるように、太さや長さの異なる複数のサイズのものを提供するとよい。
【００１３】
内部を乾燥させるべき容器１３の例としては、水筒、ペットボトル、瓶、耐水性袋などが挙げられる。図２（ａ），（ｂ）は、容器１３の一例としての水筒１３ａの内部を乾燥させる場合の使用例である。図２（ａ）に示すように、台座１２によって棒部材１１を面上で起立状態に保持し、口を下向きにした容器１３（水筒１３ａ）を棒部材１１に被せて使用してもよいし、図２（ｂ）に示すように、口を上向きにした容器１３（水筒１３ａ）に棒部材１１を上から挿入して使用してもよい。但し、容器１３内の水滴が自然に流れ落ちる点で、図２（ａ）の使用例の方に優位性がある。図２（ｂ）の例では、逆さまにした容器乾燥具１０の台座１２の上に、水筒１３ａの蓋１６を載せてある。ペットボトルや瓶を乾燥させる場合も、図２（ａ），（ｂ）と同様の使用形態となる。
【００１４】
図２（ｃ）は、容器１３の一例としての耐水性袋１３ｂの内部を乾燥させる場合の使用例である。図２（ｃ）に示すように、耐水性袋１３ｂの口が横長の場合には、容器乾燥具１０を複数用いて乾燥させることもできる。
【００１５】
図２（ａ）〜（ｃ）の使用状態において、容器１３内の水分は、棒部材１１内の多数の吸湿性粒体１５によって吸着される。棒部材１１内には吸湿性粒体１５が多数収容されていることから、吸湿性粒体１５の表面積の総和が大きい。このため、水分の吸着性能が極めて高くなり、短時間で容器１３内を乾燥させることができる。吸湿性粒体１５は通気孔１４を通り抜け不能であるので外部へ散乱することはなく、水分のみが通気孔１４を通って吸湿性粒体１５に吸着される。使用後に吸湿性粒体１５を自然乾燥させることにより、容器乾燥具１０を繰り返し使用することができる。
【００１６】
棒部材１１の内部に収容される吸湿性粒体１５は、吸湿性に富む材料を粒状に成形したものである。吸湿性に富む材料とは、例えば、珪藻土や、カーボン、セラミクス等、多孔質な構造を持つことで優れた吸湿性を発揮する材料をいう。好ましくは、吸湿性に加えて、脱臭性や、一度吸湿した水分を再び放出する放湿性に富む材料が好ましい。珪藻土を用いる場合には、珪藻土単体のほか、珪藻土とシリカゲルとを７：３の質量比で混合したものを使用することもできる。吸湿性粒体１５の粒の形状に限定はないが、棒部材１１内から外部へと散乱しないように、棒部材１１の通気孔１４を通り抜け不能なものであることを要する。吸湿性粒体１５の一例として、例えば、粒の直径が３〜５ｍｍ程度の球体を採用することができる。
【００１７】
図３に示すように、本実施の形態では、棒部材１１が縦二つ割りの構成とされ、二つの棒部材半体１１ａ，１１ｂを接合することで棒部材１１が形成される。各棒部材半体１１ａ，１１ｂは、合成樹脂を用いて射出成型法等によって成形することができる。図示は省略しているが、各棒部材半体１１ａ，１１ｂには、互いに対応する位置に互いに対応する構成の係合部と係合受部とが形成される。図３に示すように、一方の棒部材半体１１ａ内に吸湿性粒体１５を入れ、他方の棒部材半体１１ｂを上から被せ、係合部と係合受部とを互いに係合させることで、内部に多数の吸湿性粒体１５が収容された棒部材１１が形成される。この場合、吸湿性粒体１５は、棒部材１１の内部空間の容量の略半分を占めることになる。
【００１８】
図示してはいないが、他の構成の棒部材として、一端が閉じ、且つ、他端が蓋部材で開閉自在とされた中空筒状の棒部材を採用することもできる。この場合には、蓋部材を開けて棒部材内に吸湿性粒体１５を収容することができる。棒部材は、合成樹脂のほか、ステンレス製等のパンチングメタルを用いて形成することもできる。
【００１９】
吸湿性粒体１５が収容された棒部材１１を軽く振ったり傾けたりすることで、多数の吸湿性粒体１５が棒部材１１内で流動する。これにより、水分を吸着した吸湿性粒体１５同士がくっついてしまうことが防止される。よって、吸湿性粒体１５の吸湿性能の低下が抑止できる。吸湿性粒体１５の形状が球体であると、吸湿性粒体同士がくっつきにくいので、一層好適である。
【００２０】
図１に示すように、棒部材１１内には、流動する吸湿性粒体１５と衝突する衝突部材１７が配設される。このようにすれば、吸湿性粒体１５の流動時に吸湿性粒体１５が衝突部材１７に衝突するので、吸湿性粒体同士のくっつきが一層確実に防止できる。よって、吸湿性粒体１５の吸湿性能の低下が一層確実に抑止できる。但し、衝突部材１７の配設は任意である。
【００２１】
図示例では、衝突部材の一例として、孔付き仕切り１７を開示している。図３及び図４に示すように、各棒部材半体１１ａ，１１ｂの互いに対応する位置に孔付き仕切り半体１７ａ，１７ｂが形成される。そして、二つの棒部材半体１１ａ，１１ｂを互いに接合することで、二つの孔付き仕切り半体１７ａ，１７ｂが組み合わさって孔付き仕切り１７が形成される（図１参照）。
【００２２】
図１に示すように、孔付き仕切り１７によって棒部材１１の内部空間が仕切られる。孔付き仕切り１７に形成される孔１７ｃは、吸湿性粒体１５の通過を許容する粒体通過孔である。棒部材１１を上下反転させて振ることで、吸湿性粒体１５が孔付き仕切り１７にぶつかりながら粒体通過孔１７ｃを通って上から下へと流動する。このため、吸湿性粒体同士のくっつきがより一層確実に防止できる。なお、孔付き仕切り１７は、棒部材１１の内部空間に少なくとも一つ配設される。棒部材１１の長さが長い場合には、孔付き仕切り１７を多段的に設けるとよい。
【００２３】
他の構成の衝突部材として、棒部材１１の内部空間を横切るように多数の線材を配設することもできる。
【００２４】
次に、台座１２について説明する。図１に示すように、台座１２は、棒部材１１を面上で起立状態に保持する。台座１２は、板体１８と、この板体１８の外周に一体形成されるフランジ１９と、板体１８の上面の中央部に起立する支柱２０と、を備える。図示例では、板体１８が円形とされているが、これには限定されず、他の形状であってもよい。フランジ１９は、板体１８の上下双方向に張り出している。板体１８の上面１８ａとフランジ１９の内周面１９ａとによって、水受け皿２１が形成される。フランジ１９の下縁部１９ｂが、台座１２を載置する面への接触部となる。台座１２は、合成樹脂を用いて射出成型法等で成形することができる。
【００２５】
図示は省略しているが、他の構成の台座として、板体１８とフランジ１９に代えて、放射状に延びる３本以上の脚部を備え、脚部の集合部に支柱２０が起立形成される台座を採用することもできる。また、台座の一部又は全部を中空にして、内部に吸湿性粒体１５を配設することもできる。この場合、台座には、棒部材１１と同様の通気孔を形成する。
【００２６】
図５と図６を参照して、台座１２を構成する支柱２０は、棒部材１１の取付部となる。図示例では、支柱２０の上端部側の外周面に環状溝２２が形成される。これに対応して、棒部材１１を構成する各棒部材半体１１ａ，１１ｂの下端側の内部には、環状溝２２への嵌合部２３ａ，２３ｂが形成される（図３参照）。また、各棒部材半体１１ａ，１１ｂの下面には、支柱２０の外周面に対応する半円状凹部２４ａ，２４ｂが形成される（図３参照）。二つの棒部材半体１１ａ，１１ｂの間に支柱２０を配置し、二つの棒部材半体１１ａ，１１ｂを接合させることで、棒部材半体１１ａ，１１ｂの各嵌合部２３ａ，２３ｂが支柱２０の環状溝２２に嵌合し、且つ、棒部材半体１１ａ，１１ｂの各半円状凹部２４ａ，２４ｂが支柱２０の外周面に当接する。この状態が、台座１２への棒部材１１の取付状態である。
【００２７】
図示してはいないが、台座１２への棒部材１１の他の取付構造として、支柱２０に代えて、棒部材受入筒を台座１２に起立形成し、棒部材１１の下端部を棒部材受入筒に圧入させてもよい。また、圧入に代えて、棒部材１１の下端部と棒部材受入筒とをねじ結合式にすることもできる。
【００２８】
図１に示すように、台座１２には、容器１３の口の端縁が台座１２の上面（板体１８の上面１８ａ）から浮いた水切り状態となるように容器１３を保持する支持部材２５が形成される。図示例では、支持部材２５として、板体１８の上面１８ａに、台座１２の支柱２０とフランジ１９との間を放射状に延びる三つの凸条２５を形成してある。これらの凸条２５は、台座補強用のリブとしても作用する。支持部材としての凸条２５を形成することで、図２（ａ）のようにして容器乾燥具１０を使用する際に、容器１３の口の端縁に水分が残ることなく、容器１３内の水滴が台座１２上の水受け皿２１へと自重で流れ落ちる。
【００２９】
図示してはいないが、支持部材の他の例として、棒部材１１の下端部側の側面に放射方向への複数の延び出し部を形成することもできる。容器１３を逆さまにして棒部材１１に被せることで、容器１３の口の端縁が延び出し部に当接し、容器１３が水切り状態に保持される。
【００３０】
以上、本考案の実施の形態について図面を参照して詳述してきたが、具体的な構成はこれらの実施の形態に限られるものではなく、本考案の要旨を逸脱しない範囲の設計の変更等があっても本考案に含まれる。また、上述の実施の形態は、その目的及び構成等に特に矛盾や問題がない限り、互いの技術を流用して組み合わせることが可能である。
【符号の説明】
【００３１】
１０  容器乾燥具
１１  棒部材
１２  台座
１３  容器
１４  通気孔
１５  吸湿性粒体
【図１】
0003225801.tif 000003
【図２】
0003225801.tif 000004
【図３】
0003225801.tif 000005
【図４】
0003225801.tif 000006
【図５】
0003225801.tif 000007
【図６】
0003225801.tif 000008